(57)【要約】【課題】平らな場所に安定した状態で置くことができるようにしたピロー型カートンを提供すること。【解決手段】正面パネル、天面パネル、背面パネル及び底面パネルにより構成される胴部と、天面パネルの両サイドにそれぞれ内向き湾曲状の折線を介して連設された側面外側パネル１６と、底面パネルの両サイドにそれぞれ内向き湾曲状の折線を介して連設された側面内側パネル１７とを有し、側面外側パネル１６には、両端に脚部を残して切り欠かれた形状で凹部１６ｂが形成されている。側面内側パネル１７を折り曲げてその上から側面外側パネル１６を重ねるようにして差込み片１６を側面内側パネル１７のスリットに差し込んで胴部の両サイドを順次閉じる。天面パネルと底面パネルが湾曲させられて上下２面がアーチ状になっているとともに、胴部の両サイドでは側面外側パネルの脚部が前後に足１６ａを形成している。【選択図】図１
2012035847.tif 000002
【特許請求の範囲】
【請求項１】
正面パネル、天面パネル、背面パネル及び底面パネルにより構成される胴部と、天面パネルの両サイドにそれぞれ内向き湾曲状の折線を介して連設された側面外側パネルと、底面パネルの両サイドにそれぞれ内向き湾曲状の折線を介して連設された側面内側パネルとを有し、側面外側パネルには、両端に脚部を残して切り欠かれた形状で凹部が形成され、その凹部の底の部分に差込み片が設けられており、側面内側パネルには、前記差込み片に対応するスリットが中央に形成されており、側面内側パネルを折り曲げてその上から側面外側パネルを重ねるようにして差込み片をスリットに差し込んで胴部の両サイドを順次閉じることにより、天面パネルと底面パネルが湾曲させられて上下２面がアーチ状になっているとともに、胴部の両サイドでは側面外側パネルの脚部が前後に足を形成していることを特徴とするピロー型カートン。
【請求項２】
前面パネルから天面パネルにかけて開封用のジッパーが設けられていることを特徴とする請求項１に記載のピロー型カートン。
【請求項３】
各コーナーがウェブコーナーになっていることを特徴とする請求項１又は２に記載のピロー型カートン。
【発明の詳細な説明】
【技術分野】
【０００１】
本発明は、板紙で構成された包装容器であるカートンの技術分野に属し、詳しくは、天面と底面の上下２面がアーチ状となったピロー型カートンに関する。
【背景技術】
【０００２】
従来より、紙器用の板紙を打ち抜いたブランクを組み立てて形成されるカートンは、直方体形状をしたものが一般的に用いられているが、商品の多様化を図るために変形を施したカートン、例えば、天面と底面を湾曲させて上下２面をアーチ状としたいわゆるピロー型カートンが知られている。このピロー型カートンは、角形のカートンとは違った趣のある外観をしているので、ギフト用としての体裁上の観点により、あるいは内容物の特性などにより適宜用いられている。
【先行技術文献】
【特許文献】
【０００３】
【特許文献１】実公昭５９−４０２５３号公報
【特許文献２】実開平５−５１７１９号公報
【発明の概要】
【発明が解決しようとする課題】
【０００４】
上記したようなピロー型カートンの使い方は種々考えられるが、例えばファーストフード等において、中身（固形物、粒状）とトッピング（粉状、粒状）を入れて回転させたり揺らしたりすると、アーチ状の天面や底面に中身が沿って転がりやすいため、四角いカートンに比べると、トッピングを万遍なく中身に付着させることができるという使い方ができる。このような使い方を考えた場合、店頭での陳列時や顧客が食べる際には、販売台やテーブルの上に置いた状態で安定性のあることが好ましい。しかしながら、従来のピロー型カートンは、平らな場所に置くとアーチ状の底面が接地するため安定しないという問題がある。
【０００５】
本発明は、上記のような問題に鑑みてなされたものであり、その目的とするところは、平らな場所に安定した状態で置くことができるようにしたピロー型カートンを提供することにある。
【課題を解決するための手段】
【０００６】
上記の目的を達成するため、本発明のピロー型カートンは、正面パネル、天面パネル、背面パネル及び底面パネルにより構成される胴部と、天面パネルの両サイドにそれぞれ内向き湾曲状の折線を介して連設された側面外側パネルと、底面パネルの両サイドにそれぞれ内向き湾曲状の折線を介して連設された側面内側パネルとを有し、側面外側パネルには、両端に脚部を残して切り欠かれた形状で凹部が形成され、その凹部の底の部分に差込み片が設けられており、側面内側パネルには、前記差込み片に対応するスリットが中央に形成されており、側面内側パネルを折り曲げてその上から側面外側パネルを重ねるようにして差込み片をスリットに差し込んで胴部の両サイドを順次閉じることにより、天面パネルと底面パネルが湾曲させられて上下２面がアーチ状になっているとともに、胴部の両サイドでは側面外側パネルの脚部が前後に足を形成していることを特徴とする。
【０００７】
上記のピロー型カートンにおいて、正面パネルから天面パネルにかけて開封用のジッパーが設けられていることが好ましい。
【０００８】
また、上記のピロー型カートンにおいて、各コーナーがウェブコーナーになっていることが好ましい。
【発明の効果】
【０００９】
本発明のピロー型カートンは、組み立てた状態では、湾曲した天面パネルと底面パネルによりそれぞれ天面と底面が湾曲した形状になるが、側面外側パネルの両端にある脚部によって周囲４箇所に足が形成されるため、この足が接地することでカートン自体の揺動が防止されるので、平らな場所に安定した状態で置くことができる。
【００１０】
そして、正面パネルから天面パネルにかけて開封用のジッパーがあることで、簡単に開封することができるとともに、上部を開封した状態で卓上等に置くことができる。
【００１１】
また、各コーナーがウェブコーナーになっていることにより、内容物が外に漏れるのが防止される。
【図面の簡単な説明】
【００１２】
【図１】本発明に係るピロー型カートンの一例を示す示す斜視図である。
【図２】図１のカートンを形成するブランクの展開図である。
【図３】図２のブランクをサック貼りした状態で示す平面図である。
【図４】図１のカートンをその表示片を起こした状態で示す斜視図である。
【発明を実施するための形態】
【００１３】
次に、本発明の実施形態について図面を参照しながら詳細に説明する。
【００１４】
図１に示すピロー型カートンＣは、紙器用の板紙を打ち抜いて形成された図２に示す１枚ブランクＢを組み立てて形成される。この例で説明するカートンＣは、ファーストフードにおいて使用されるもので、店頭にて中身（固形物、粒状）とトッピング（粉状、粒状）を入れるようになっている。
【００１５】
ブランクＢは、図２に示すように、互いに平行な折線ａ，ｂ，ｃ，ｄを介して、正面パネル１１、天面パネル１２、背面パネル１３、底面パネル１４及び糊代パネル１５がこの順で連設されており、天面パネル１２の両サイドにそれぞれ内向き湾曲状（円弧状）の折線ｅを介して側面外側パネル１６が連設され、底面パネル１４の両サイドにそれぞれ内向き湾曲状（円弧状）の折線ｆを介して側面内側パネル１７が連設されている。
【００１６】
底面パネル１４の両サイドにある側面内側パネル１７は、外側の端縁が内側の折線ｆと反対向きの湾曲状で、図示のように中程が膨らんだ形状になっている。そして、各側面内側パネル１７の両側辺には折線ｇを介してそれぞれ三角形状の折込み片１７ａが連設され、背面パネル１３と糊代パネル１５の両側辺にはそれぞれ折線ｈ，ｉを介して三角形状の折込み片１３ａ，１５ａが連設され、隣接する折込み片同士、すなわち折込み片１３ａと折込み片１７ａが放射状のミシン目線αで、折込み片１５ａと折込み片１７ａが放射状のミシン目線βでそれぞれ連設されており、この隣接する折込み片同士からなる三角部分がウェブコーナー部を構成している。なお、背面パネル１３の両側片にある折込み片１３ａは押罫と切込を交互に設けた所謂リード罫を介して設けられている。
【００１７】
天面パネル１２の両サイドにある側面外側パネル１６には、両端に脚部１６ａを残して台形状に切り欠かれた凹部１６ｂが形成され、その凹部１６ｂの底の部分に折曲げ可能な差込み片１６ｃが設けられており、この差込み片１６ｃに対応して、側面内側パネル１７の中央に、両端が湾曲し真ん中に切込みを有する差込み用のスリット１７ｂが形成されている。また、このブランクＢでは、各側面外側パネル１６に、引起しが可能な表示片１６ｄが２つずつ区画されている。
【００１８】
正面パネル１１には、先端縁の中央に摘み部分１１ａが形成され、その摘み部分１１ａの両側から末広がり状に延びる開封用の２本のジッパーｘが形成されており、天面パネル１２には、正面パネル１１のジッパーｘに連続して同じく開封用の２本のジッパーｙが、両サイドにある内向き湾曲状の折線ｅと平行に、背面パネル１３との境界に至るまで形成されている。正面パネル１１と天面パネル１２のジッパーｘ，ｙは、図示のように連続する「く」の字状切込みにより形成されている。これらのジッパーで囲まれる部分が開封部分を形成するようになっている。
【００１９】
正面パネル１１の摘み片１１ａは、切込みにより区画された凸部１１ｂを有し、その凸部１１ｂの両側の折線ｊで折曲げ可能になっている。そして、この摘み片１１ａの凸部１１ｂに対応して、糊代パネル１５の中央に、両端が湾曲し真ん中に切込みを有する差込み用のスリット１５ｂが形成されている。
【００２０】
このブランクＢは、サック貼りしたものを店頭に送り、そこで中身とトッピングが入った状態に組み立てる。その手順は次のようである。
【００２１】
まず第一に、折線ａ，ｃのところで、ブランクＢを畳むようにして折り曲げ、正面パネル１１におけるジッパーｘの外側部分の裏面と糊代パネル１５の表面とを貼り合わせて図３に示すようにサック貼りし、このようにサック貼りしたブランクＢを複数枚まとめて店頭に送る。
【００２２】
店頭では、サック貼りした図３の状態のブランクＢを角筒状に起こしてから、その角筒のどちらか一方の開口を閉じる。この場合、側面内側パネル１７をその両側のウェブコーナー部を折込みながら折線ｆで内側に折り曲げ、次いで側面外側パネル１６を重ねるように折線ｅで折り曲げて、差込み片１６ａをスリット１７ｂに差し込んで固定する。そして、もう一方の開口から中身とトッピングを入れ、先ほど閉じたのと同様にしてこちらの方も閉じる。
【００２３】
これにより、図１に示すピロー型カートンＣが形成される。そして、側面内側パネル１７と側面外側パネル１６が突っ張った形で天面パネル１２と底面パネル１４が湾曲した状態になり、天面と底面が湾曲した形状のカートンとなる。
【００２４】
このピロー型カートンＣは、内容物である中身とトッピングが回転するように手で数回回せば、トッピングは中身に均一に付着することになる。この作業において、ダストフラップをウェブコーナーにしているので、中身やトッピングが外に漏れないようになっている。このようにまぶした状態で店頭に陳列しておき、顧客に提供するのであるが、側面外側パネル１６の両端にある脚部１６ａによって周囲４箇所に足が形成され、これらが接地部分となるため、陳列時や顧客が食べる時には、揺動しない安定した状態で販売台やテーブルなどの平らな場所に置くことができる。
【００２５】
なお、図１のピロー型カートンＣは、中身とトッピングを入れたものを店頭に並べる場合、側面外側パネル１６に設けた表示片１６ｄを利用し、この部分を必要に応じて起こすことによって中の商品アイテムが一目で分かるようにすることができる。
【００２６】
このピロー型カートンＣを開封するには、正面パネル１１の摘み片１１ａを指先で摘んで折線ｊで折り曲げつつ持ち上げながら、正面パネル１１のジッパーｘを破断し、そのまま後方へと引っ張って天面パネル１２のジッパーｙも破断することで、背面パネル１３との境界をヒンジとして開封部分を持ち上げ、正面パネル１１から天面パネル１２にかけて大きな開口を形成する。また、開封したピロー型カートンＣを閉じるときは、開封部分を元に戻し、摘み部分１１ａの凸部１１ｂを糊代パネル１５のスリット１５ｂに引っ掛けるように差し込んで係止する。
【００２７】
以上、本発明を実施するための形態について詳細に説明してきたが、本発明によるピロー型カートンは、上記の形態に何ら限定されるものではなく、本発明の趣旨を逸脱しない範囲において種々の変更が可能であることは当然のことである。
【産業上の利用可能性】
【００２８】
本発明のピロー型カートンは、ファーストフードの店頭にて中身（固形物、粒状）とトッピング（粉状、粒状）を入れるという利用の仕方だけでなく、その他の食品を直詰めするような場合にも好適に利用することができる。
【符号の説明】
【００２９】
Ｃ  ピロー型カートン
Ｂ  ブランク
１１  正面パネル
１１ａ  摘み部分
１１ｂ  凸部
１２  天面パネル
１３  背面パネル
１３ａ  折込み片
１４  底面パネル
１５  糊代パネル
１５ａ  折込み片
１６  側面外側パネル
１６ａ  脚部
１６ｂ  凹部
１６ｃ  差込み片
１６ｄ  表示片
１７  側面内側パネル
１７ａ  折込み片
１７ｂ  スリット
ａ〜ｊ  折線
α，β  ミシン目線
ｘ，ｙ  ジッパー
【図１】
2012035847.tif 000003
【図２】
2012035847.tif 000004
【図３】
2012035847.tif 000005
【図４】
2012035847.tif 000006